(57)【要約】電気通信分野用コネクタには、少なくとも１個の湾曲部を備えているコネクタ接点と、コンデンサリード線を備えている少なくとも１個のコンデンサが備わっており、前記コンデンサリード線は、コネクタ接点の湾曲部付近でコネクタ接点と接続可能である。少なくとも１個の前記コネクタと少なくとも１個の第２のコネクタの組み合わせであって、前記第２のコネクタを位置合わせした状態で、コネクタ接点でコンデンサリード線と接触する組み合わせが開示されている。
2009505353.tif 000002
【特許請求の範囲】
【請求項１】
少なくとも１個の湾曲部を備えるコネクタ接点と、コンデンサリード線を有する少なくとも１個のコンデンサとを備える電気通信分野用コネクタであって、前記コンデンサリード線が、前記コネクタ接点の湾曲部付近で前記コネクタ接点と接続可能な電気通信分野用コネクタ。
【請求項２】
少なくとも１個の湾曲部の角度が９０°以下である、請求項１に記載のコネクタ。
【請求項３】
少なくとも１個の凹部を有する接点ホルダを備え、該接点ホルダに前記コンデンサが配置されている、請求項１に記載のコネクタ。
【請求項４】
前記接点ホルダが、前記コネクタ接点及び／又は前記コンデンサリード線のためのガイドを備える、請求項３に記載のコネクタ。
【請求項５】
前記コンデンサが、前記コネクタ上に形成された少なくとも１個の突出部に入る少なくとも１個の凹部又は開口部を有する、請求項１に記載のコネクタ。
【請求項６】
請求項１に記載のコネクタであって、前記コネクタ接点及び／又は前記コンデンサリード線が可撓性であるコネクタ。
【請求項７】
前記コンデンサリード線が該コンデンサリード線の自由端で前記コネクタ接点に接続可能である、請求項１に記載のコネクタ。
【請求項８】
前記コネクタが８個のコネクタ接点を有し、前記コンデンサが、第３及び第５のコネクタ接点に接続可能である２個のコンデンサリード線を有する、請求項１に記載のコネクタ。
【請求項９】
請求項１に記載の少なくとも１個の第１のコネクタと少なくとも１個の第２のコネクタとの組み合わせ。
【請求項１０】
前記第２のコネクタが、前記コネクタ接点に位置合わせされた状態で前記コンデンサリード線と接触する、請求項９に記載の組み合わせ。
【発明の詳細な説明】
【技術分野】
【０００１】
本発明は、容量性「クロストーク」を減らす電気通信分野用コネクタ、少なくとも２個のコネクタの組み合わせ、及び、第１のコネクタと第２のコネクタを接続させる方法に関する。
【背景技術】
【０００２】
電気通信分野、並びに、データ伝送及びデータ加工分野では、電気通信及び／又はデータ回線によって多くの接続が確立されている。これらの接続はワイヤ、例えば銅線で作り出すことができる。
【０００３】
複数のワイヤは、プラグ又はソケットのようなコネクタの位置に集めることができる。このタイプの２つのコネクタを相互に接続させることによって、それぞれのコネクタと接続するワイヤ間に複数の接続が確立される。このようなタイプの接続は、ネットワークの一部分であるデバイス間のいずれかの接続を確立させるために、ローカルエリアネットワークなどのネットワークで用いることもできる。
【０００４】
電気通信分野及びデータ伝送分野では、ＡＤＳＬ技術の最近の進歩によって、単一の電気通信回線で少なくとも２種類の異なる信号を伝送することが可能になっている。このような伝送は、同じ回線に沿って異なる周波数で異なる信号を伝送することによって実現する。具体的に言うと、加入者側では、別個の音声信号とデータ信号を１つにまとめて、同じ伝送回線によって電話局に送り、電話局でこれらの信号が分けられる。次いで、音声信号は電話によって他の加入者に伝わり、データ信号は、データ交換に参加している他の加入者に伝わる。音声信号とデータ信号を加入者に伝送する際には、別個の音声信号とデータ信号を電話局で１つにまとめて加入者に送り、加入者側で分割される。
【発明の開示】
【発明が解決しようとする課題】
【０００５】
特に、ＡＤＳＬ技術との関連で、電気通信及びデータ信号が電気通信モジュールによって伝送される速度は顕著に速くなり、その結果、クロストークの影響も大きくなった。「クロストーク」という用語は、電気通信モジュールの接点が小型アンテナとして作用し、隣接する接点に妨害信号を伝送してしまう影響を指す。一般に妨害信号は、１対のワイヤによって、すなわち、隣接し合う１対の接点によって伝送される。したがって、１対の接点の間のクロストークは問題ではない。しかし、隣接する何対かの接点間のクロストークは可能な限り減らさなければならない。
【０００６】
従来のジャック型コネクタの接点は、互いに近い位置にある場合がある。これらのジャック型コネクタを高性能通信システムで使用する場合、隣接する複数対の導電体の間でクロストークが起こる場合がある。
【０００７】
米国特許第６，１７６，７４２号には、コンデンサ補正アセンブリを備えている通信コネクタであって、前記コンデンサの各々に第１及び第２の電極が備わっている通信コネクタが記載されている。前記電極の端子は、所定の接触ワイヤと電気接続している。しかし、この接点は接触ワイヤの自由端の位置に作られている。そのため、大きな位置決め公差が生じる可能性があり、電気接続の信頼性が不十分になる可能性がある。この課題は、英国特許第２，３２９，５３０Ａ号、及び欧州特許第１，１６０，９３５Ａ１号の課題でもある。
【０００８】
米国特許第２００４/００９２１７０Ａ１号は、一部の接点に、コンデンサを規定するためにその上に形成されている延伸部が備わっているデータ転送用コネクタに関する。この延伸部にはかなりの空間が必要である。さらに、接点と延伸部の間の接続が切断しやすい。
【課題を解決するための手段】
【０００９】
本発明は、クロストーク特性に関する性能が向上した（すなわちクロストークが減少した）電気通信分野用コネクタを提供する。さらに、２個のコネクタの組み合わせ、及び、この２個のコネクタを接続させる方法を提供する。
【００１０】
本明細書に記載されているコネクタにはコネクタ接点があり、前記接点はハウジング内に搭載してよい。各コネクタ接点には第１の末端部と第２の末端部がある。コネクタ接点の第１の末端部は、通信ケーブルの可撓性ワイヤに接続するように設計されている。コネクタ接点の第２の末端部及び／又は前記末端部に隣接する部分は、典型的には、補完的なコネクタ、例えばプラグの接点と直接的に電気接続するように設計されている。この目的上、コネクタ接点は弾性にすることができ、位置合わせされた状態で補完的なコネクタの接点と接続する。このようにして、信頼性の高い電気接続が実現する。
【００１１】
コネクタのコネクタ接点には、少なくとも１個の湾曲部が備わっている。前記湾曲部は、例えば、上述の弾力性をもたらす役割を果たすことができる。さらに湾曲部は、例えば第１の末端部（ワイヤがコネクタ接点に接続している）及び第２の末端部（コネクタ接点が補完的なコネクタの接点と電気的に接続するように設計されている）上で、すぐ近くに第１の接触領域をもたらすことができるため、湾曲部は、コネクタをコンパクトに保つ一助を担うことができる。このため、コネクタの全長は短く保たれると思われる。さらに、湾曲部を用いて、少なくとも１個のコンデンサに、信頼性の高い電気接続をもたらすことができる。
【００１２】
コンデンサは、コネクタの複数対の接点の間に生じ得るクロストークを補正する役割を果たす。当業者には明らかなように、電気通信回線は、通常は対で配置されており、隣接する対の間でクロストークが生じる可能性がある。さらに、いくつかの出願では、第１の対のコネクタ接点が第２の対のコネクタ接点と近い位置にあり、これらの接点対の間でクロストークが起こりやすくなる。これらの対の間のクロストークを減らすために、それぞれの１個の接点対は、少なくとも１個のコンデンサのコンデンサリード線と接続可能である。コンデンサは通常は２個の並行なプレートで形成されているため、コンデンサリード線は一般的にそれぞれのプレートに接続されている。
【００１３】
コンデンサリード線がコネクタ接点に接続可能であるため、この接続は第２のコネクタの影響を受ける可能性がある。このように、第２のコネクタは、位置合わせされた状態において、コンデンサリード線を接続させる接点に影響を与える可能性がある。
【００１４】
従って、本発明は、第１のコネクタと少なくとも１個の第２のコネクタを接続させ、前記第２のコネクタによってコネクタ接点とコンデンサリード線の間の接続に影響を与える方法を提供する。
【発明を実施するための最良の形態】
【００１５】
図面を参照しながら非限定例を用いて本発明を説明する。
【００１６】
本明細書で詳細に記載されているように、本発明は、少なくとも１個の湾曲部を備えているコネクタ接点と、コンデンサリード線を備えている少なくとも１個のコンデンサが備わっている電気通信分野用コネクタであって、前記コンデンサリード線が、前記コネクタ接点の湾曲部付近で前記コネクタ接点と接続可能な電気通信分野用コネクタを提供する。
【００１７】
前記コネクタ接点は、任意の適切な形態で形成させてよく、例えば、湾曲したワイヤ部分又は直線ワイヤ部分が備わるように作ることができ、例えば、実質的に円形の断面が備わるように作ることができる。あるいは、１つ以上の位置で湾曲可能な金属小片の形態でシート金属から接点を鍛造することができる。この目的上、ワイヤをコネクタ接点にはんだ付けすることができる。代替的な方法として、コネクタ接点付近をワイヤで覆うことができる。ワイヤ付近に各コネクタ接点の一部分を圧着することもできる。さらに、コネクタ接点には、ＩＤＣ（圧接）領域を設けることもでき、このＩＤＣ領域は、ワイヤの絶縁部分を切断し、金属コアと電気的に接続するように設計されている。最後に、ＩＤＣ領域を１個以上のプリント基板によってもたらすこともでき、前記基板の上にはプリント導電体が備わっており、ＩＤＣ領域とコネクタ接点の間の接続をもたらす。この目的上、コネクタ接点はプリント導電体に接続させる（例えばはんだ付けする）。このように、ワイヤは通常はコネクタ接点の第１の末端部と接続する。
【００１８】
実験によって、本明細書に記載のコネクタが当業者にはよく知られているカテゴリー６を満たすことが明らかになっている。さらに、２５０ＭＨｚの帯域でデータ転送することができる。
【００１９】
コネクタのコンデンサリード線はコネクタ接点と接続可能である。言い換えると、はんだ付け又は同様の接続のような永久的な接続は不要である。この種の接続は、機械応力が原因で破断しやすい。コンデンサリード線は、第１の位置ではコネクタ接点と接続しておらず、第２の位置ではコネクタ接点と接続する。この配置によって、例えば、補完的なコネクタによって「起動」するように設計することができる。言い換えると、補完的なコネクタは、第１のコネクタに位置合わせされた場合、コネクタ接点でコネクタ接点の自由端を変形及び／又はずらすように作用し、これらの自由端がコネクタ接点の湾曲部分をコンデンサリード線と接触させ、所望の電気接続を作り出す位置まで少なくとも部分的に移動する。このように、少なくとも補完的なコネクタが第１のコネクタに位置合わせされた状態では、少なくとも１個のコンデンサがコネクタ接点と接続し、クロストークを減らすことができる。しかし、コンデンサリード線は、第２のコネクタ（例えばプラグ）を挿入する前に、コネクタ接点及びコンデンサリード線と永久的に接続させることもできる（すなわち、コネクタ接点の耐性によっては）。上述のコンデンサリード線とコネクタ接点との可撓性の接続又は切断が可能な接続によって、コネクタ接点とコンデンサリード線と信頼性の高い接続を確立しつつ、異なる種類の補完的なコネクタ（例えばプラグ）をコネクタと接続することができる。さらに、コネクタ及び／又は補完的なコネクタの任意の成分の許容度を補正することができ、コネクタ接点とコンデンサリード線の電気接続に影響は与えない。
【００２０】
コンデンサリード線とコネクタ接点の上述の電気接続は、コネクタ接点の湾曲部にほど近い部分で確立される。言い換えると、これらの電気接続は、コネクタ接点の自由端とは離れた位置にすることができる。コネクタ接点の自由端の位置決め公差、振動などがコネクタ接点との電気接続に影響を与えないため、電気接続の信頼性を高めることができる。特に、比較的容易に信頼性の高い状態でコネクタ接点の位置を湾曲部付近に正確に決めることができる。このように、この領域では、コンデンサリード線との電気接続が確実に維持される。この電気接続が、例えばはんだ付けによって形成される接続を切断する機械応力による危険にさらされることもない。さらに、切断及び接続が可能な接続を用いることで、費用のかかる製造工程（例えばはんだ付けに必要な工程）が不要になる。
【００２１】
コネクタ接点に湾曲部が存在することでコネクタがコンパクトに保たれ、クロストークの影響をもたらす可能性のある長いコネクタ接点部分を防ぐことができる。コンデンサとの接続は、補完的なコネクタ（例えばプラグ）との接続が作られる領域と近い。これによりクロストークの補正が向上する。特に、湾曲部付近に形成されるコンデンサとの電気接続は、コネクタ接点の自由端とも相対的に近い位置に配置され、補完的なコネクタの接点と接続するように設計されている。本明細書に記載のコネクタでは、コンデンサリード線とコネクタ接点を接続させるためのプリント基板は必要ない。このようなプリント基板は、コネクタを複雑かつ高価にする可能性がある。それどころか、電気接続（特にコンデンサとコネクタ接点の電気接続）は、コンデンサリード線を介して直接確立される。しかし、特定の適用例では、本明細書に記載のコネクタには１個以上のプリント基板を含めることができることが分かるであろう。特に、コネクタ接点（例えば、上述の第１の末端部との接点）は、プリント基板に挿入してもよい。さらに、可撓性ワイヤとＩＤＣ領域の接続を可能にするためにＩＤＣ領域をプリント基板上に作ることができる。最後に、プリント導電体は、ＩＤＣ領域とコネクタ接点を接続させるためにプリント基板上に形成させることができる。
【００２２】
コネクタは、コネクタ接点の少なくとも１個の湾曲部の角度が９０°以下である場合に特に小さく形成させることができる。このことは、言い換えると、コネクタ接点に鋭角が形成され、コネクタがコンパクトに保たれることを表し、実験者が示したように、コンデンサリード線と信頼性の高い接続が実現する。
【００２３】
電気接続の信頼度は、コンデンサの位置決め公差が制限されれば向上することがある。この制限は、例えば、少なくとも１個の凹部がある接点ホルダを備えており、この接点ホルダにコンデンサが配置されているコネクタを提供することによって達成することができる。コネクタの接点ホルダ又は任意の他の要素に任意の他の適切な方法で（例えば、ピン止めによって、適切な工程によってなど）コンデンサを配置することができる。位置決めをさらに向上させるために、コネクタ接点を接点ホルダに固定することができる。特に、少なくとも１個のコンデンサを収容するための上述の凹部は、コネクタ接点の位置決めする役割を果たすガイド内に形成させることができる。しかし、少なくとも１個のコンデンサを収容するための上述の凹部をガイドの外側に形成させることもできる。どんな場合でも、ガイドは溝とその間に備わっているウェブ、段差、仕切り又は壁によって形成させることができる。ウェブは、少なくともいくつかの部分に沿って高さを少し低めにして形成することができ、凹部は１つ以上のウェブに形成させ、ここにコンデンサを収容することができる。
【００２４】
接点ホルダが存在する場合、コネクタ接点をさらに位置決めするために、この接点ホルダを有効に使用することができる。特に、コネクタ接点が接点ホルダ内部の水平面に配置されており、コンデンサが外側の水平面に配置されている構造の接点ホルダが有効であることがわかっている。コネクタ接点及び／又はコンデンサリード線の少なくとも一部分が配置されているガイドが接点ホルダに備わっている場合、コネクタ接点及び／又はコンデンサリード線の位置決めの信頼性をさらに高めることができる。
【００２５】
少なくとも１個のコンデンサで２個の実質的に平行の導電プレートが非導電性層又は誘電層で分割されている構造が有効であることがわかっている。コンデンサの電荷保持力（すなわちキャパシタンス）は、導電プレートの面積、距離、又は誘電層の性質によって決まる。この種のコンデンサは、誘電材料の片面に配置されているシート金属又は金属箔から製造させたプレートが備わるように形成させてもよい。あるいは、コンデンサには、両側が金属化されている非金属箔を含めてもよい。この構造のコンデンサを費用効率が高い形で製造することができる。非導電箔又はフィルムを誘電体として用いると、プレート間の距離の変動が少なくなり、異なるコンデンサ間のキャパシタンスの変動も少なくなる。言い換えると、キャパシタンスは、適切な材料及び／又は適切な厚みの誘電体を選択することによって左右される。少なくとも１個のコンデンサを製造するために、誘電体にフィルム形態の材料を使用することが有利であることがわかっている。さらに、コンデンサのキャパシタンスは、信頼性の高い状態で所定の値に設定することができ、導電プレートの表面積を制御することによって公差が小さくなる。ある１つの実施形態のコンデンサでは、コンデンサのプレートのうち少なくとも１個は、少なくとも一端が他のプレートよりも長い。特に、プレートは２つの対向する縁部では第１のプレートが第２のプレートよりも長く、他の２つの対向する縁部では第２のプレートが第１のプレートよりも長いように組み合わせることができる。あるいは、１個のプレートの寸法が、１つ又は２つの方向で大きく、大きい方のプレートが小さなプレートの１個以上の縁部を越えて伸びるようにすることができる。
【００２６】
コンデンサのプレートの製造に関しては、鍛造によって製造すると利点がある。この種の製造は、第１に、効果的であり、第２に、精度の高いプレートを作成できる。このために、得られたコンデンサのキャパシタンスは、公差の小さい状態で所定値を有効に設定することができる。コンデンサのプレートを製造する他の方法（例えば切断）も可能である。しかし、コンデンサのプレートを鍛造することにより、得られたコンデンサの公差が非常に小さくなる（例えば０.１ｐＦ未満）ことが分かっている。
【００２７】
本明細書に記載のコネクタのアセンブリは、コンデンサをあらかじめ組み立てておき、あらかじめ組み立てた状態でコネクタに位置合わせすることが容易にできる。本明細書に記載のコネクタを組み立てるこの方法では、コンデンサに、少なくとも１個の凹部又は開口部がある場合に効果を発揮する。前記凹部又は開口部は、コネクタに形成されている少なくとも１個の突出部に入る。前記突出部は、例えば、コンデンサをコネクタの位置に合わせ、コンデンサに形成されている開口部にピンで位置合わせすることができる。
【００２８】
明らかなように、コネクタ接点及びコンデンサリード線の弾性は、コネクタ接点とコンデンサリード線との望ましい接続をもたらすために必ずしも必要なものではない。しかし、この接続の信頼性は、コネクタ接点及び／又はコンデンサリード線が可撓性である場合に高まる。コネクタ接点に関しては、可撓性又は弾性によって、補完的なコネクタのコネクタ接点の電気接続の信頼性をさらに高めることができる。
【００２９】
一般的に、コンデンサリード線には、任意の適切な形態を持たせることができる。しかし、実質的に直線になるように形成させるとその構造は単純なまま維持される。コンデンサリード線がその自由端でコネクタ接点に接続可能である場合、効果が発揮される。この接続がコネクタ接点の湾曲部付近に形成される場合、コンデンサリード線が、例えば、少なくとも１個の曲線部分の自由端にあると有益であることがわかっている。この曲線部分は、少なくとも接続した位置では、コネクタ接点に形成されている湾曲部に実質的に沿う形になっており、相対的に大きな接触領域が得られ、信頼性の高い接触が作られる。
【００３０】
一般的に、本明細書に記載の新規コネクタは、任意の特定の数のコネクタ接点に限られない。しかし、特定の適用例では、コネクタには８個のコネクタ接点があり、これらの接点が対になって配置されていると効果が発揮される。この実施形態で示した１個のコンデンサには、２個のコンデンサリード線があり、このリード線は第３及び第５のコネクタ接点と接続可能である。この配置では、第１及び第２のコネクタ接点が第１の対を形成し、第３及び第６のコネクタ接点が第２の対を形成し、第４及び第５のコネクタ接点が第３の対を構成し、第７及び第８のコネクタ接点が第４の対を形成する。（ＥＩＡ／ＴＩＡ５６８Ａを参照）
【００３１】
本明細書に記載のコネクタの構造がプラグ型コネクタにも適用可能である場合、プラグを挿すために設計されているソケットとして新規コネクタを形成することが現時点では想定される。
【００３２】
少なくとも１個のコンデンサ及びコネクタ接点の接続は、２個のコネクタが互いに接続される場合を特に示している。従って、本明細書に記載したように設計されている少なくとも１個のコネクタと第２のコネクタとの組み合わせは、本発明で考慮される主題である。
【００３３】
現時点で好ましくはソケットとして設計される新規コネクタに対応して、第２の補完的なコネクタは、例えばプラグである。
【００３４】
図１の概略的な側面図に示されているように、本明細書に記載のコネクタのコネクタ接点１２は、湾曲部１４を規定するように形成されており、図示した実施形態では、コネクタ接点１２の第１の部分３８及び第２の部分４０の間は鋭角αになっている。湾曲部１４は、図１に示されるように、曲線状、円形又は弓状に形成されている。コネクタ接点の第１の部分３８は、図１０を参照しながらさらに詳細に記載されているようにワイヤ（図示なし）に接続するように設計されており、図示した実施形態では、第２の部分４０よりも少し短い。しかし、第１の部分３８は、第２の部分４０とほぼ同じ長さか、又は、第２の部分４０よりも長くてもよい。コネクタ接点の第２の部分４０は、補完的なコネクタの接点と電気接続するように、好ましくは直接的に電気接続するように設計されている（補完的なコネクタ３６の接点５８については図２を参照）。コンデンサは１６で示されており、コンデンサにはコンデンサリード線が備わっており、１本のリード線１８が図１に示されている。リード線１８は、実質的に直線状に形成されており、コネクタ接点の第１の部分３８よりも少し短く、第１の部分３８に実質的に平行であり、自由端に曲線部分４２がある。曲線部分は、図示した実施形態では、コネクタ接点の湾曲部１４と実質的に沿った形状であり、約１２０°の角度になっている。この角度はもっと小さくてもよい。
【００３５】
図２に示されているように、この沿った形状によって接触領域が形成され、図示した実施形態では、湾曲部１４及び曲線部分４２のかなりの部分が接触領域となっている。図２に特に示されているように、第２のコネクタ３６を挿入すると、図示した実施形態では、このコネクタがコネクタ接点１２の第２の部分４０を第１の部分に向けて押すように作用し、これらの部分が図示した実施形態では互いにほぼ平行になっている。自然な状態では、上述の部分は互いに平行でないように配置していてもよい。図示した実施形態では、コネクタ接点１２が弾性をもつため、まずは第２のコネクタ３６の接点５８と近づき、これらと信頼性の高い状態で接触する。第２に、コンデンサリード線１８との信頼性の高い電気接続が確立される。
【００３６】
図３に示されているように、コンデンサ１６は、図示した実施形態では、２個のプレート２６及び２８と、その間にある誘電体３０で構成されている。以下に詳細に記載されているように、プレート２８は他のプレート２６よりも大きい。さらに、誘電体は両プレートよりも大きい。図３に示されている実施形態では、コンデンサ１６は、孔又は開口部（図では見えない位置にある、開口部３２は図６〜９に図示）を備えており、ピン３４がここに収容される。ピン３４は、図示した実施形態では、以下に詳細に示す接点ホルダに形成されており、接点ホルダ２０上にコンデンサ１６を位置決めするのに役立つ。接点ホルダ２０は、図示した実施形態では、コンデンサ１６を収容するための凹部２２も備えている。さらに、図示した実施形態では、接点ホルダの壁４６とコンデンサ１６とを空間的に離すためにウェブ４４の形態でさらなる突出部が存在している。あるいは、１個以上のウェブ４４を、スペーサとして作用する１つ以上の柱、ピン又は同様の突出部と交換してもよい。
【００３７】
図４は、接点ホルダ２０上に形成された凹部２２の代替的な配置を示している。この実施形態では、コンデンサ１６を正しい位置に設置するために段差４８が凹部２２の側面に提供されている。凹部２２に存在する空気は、コンデンサとコネクタ接点とを分割する役割をもち、コネクタ接点は図４に１２で概略的に示されている。これによりコネクタ接点１２とコンデンサ１６との干渉が減る。
【００３８】
図５は、接点ホルダ２０の完全な構造を示しており、コネクタ接点１２が配置されている。第１の部分３８について示したように、これらの部分及び湾曲部１４（図１参照、湾曲部１４は図５では壁に隠れている）は少なくとも、接点ホルダ２０に形成されたガイド２４で整列させることができる。ガイド２４は溝の形態で存在することができ、溝はウェブ又は壁によって区切られており、壁５０の１つによってコネクタ接点１２の湾曲部が隠れている。コンデンサ１６を収容するために、例えば、少なくとも一部分に沿ってウェブ又は壁の高さを低くすることによって、凹部２２が接点ホルダに形成されている。図５に示されている接点ホルダ２０は、組み立てられたコネクタのハウジング（図示なし）に収容することができる。
【００３９】
残りの図面はコンデンサ１６の２つの実施形態を示している。図６及び７に示されている第１の実施形態では、コンデンサ１６は２個のプレート２８及び２６で構成されており、この２個のプレート２８及び２６は「十字」型に配置されている。言い換えると、図示した実施形態では、プレート２６及び２８は長方形であり、各プレートの長辺が互いに実質的に直交するように配置されている。このように、第１のプレート２６は、図６の上下方向で第２のプレート２８の端よりも長く、第２のプレート２８は左右方向で第１のプレート２６の端よりも長い。有効なコンデンサは２個のプレートが重なっている領域で規定され、この領域は５２で示されている。図７からわかるように、誘電体３０は、図示した実施形態では、プレート２８よりも幾分大きい。図６〜９にはコンデンサ１６の開口部３２（図示した実施形態ではほぼ中央部に示されている）が示されており、この開口部にピン３４が入る（図３を参照）。
【００４０】
図８の実施形態では、第１のプレート５４は、二つの直交方向で第２のプレート５６よりも小さく、図示した実施形態では全ての端が実質的に平行であるため、有効なコンデンサ（すなわち、プレートが重なっている部分）は小さい方のプレート５４によって規定されている。図８及び９に示されている実施形態では、誘電体３０は、小さい方のプレート５４及び大きい方のプレート５６よりも大きい。図示した例では、プレート５４及び５６及び誘電体３０は実質的に正方形である。
【００４１】
図１０は、ソケット６０の形態の新規コネクタの断面図を示している。図示した実施形態では、ソケット６０はハウジングを備えており、このハウジングには第１のハウジング部分６２と第２のハウジング部分６４がある。ハウジング部分６２、６４は互いに機械的接続によって接続しており、図示した実施形態では、第２のハウジング部分６４に備わっているラッチフック６６と第２のハウジング部分６２の肩部６８とがかみ合うことによって機械的に接続している。第２のハウジング部分６４はフラップ７０を備えており、フラップ７０を開けると中にソケット６０の空洞７２があり、ここにプラグ（図示なし）が入る設計になっている。２個のアームがあるコイルばね７４によってフラップ７０は閉まった状態になっている。コネクタ接点１２は空洞７２内に出ている。図１０では、接点ホルダ２０は（図５を参照して上に詳細に記載されている）は、第２のハウジング部分６４に組み込まれている。図５の向きと比較すると、接点ホルダは左右が逆になっており、９０°回転している。
【００４２】
図示した実施形態では、ソケット６０は、プリント基板７６を備えており、プリント基板７６は孔を備えており、この孔にコネクタ接点１２の第１の部分３８の末端部が挿入されている。この末端部は、例えば、プリント基板３６に圧着又ははんだ付けされており、プリントされた導電体（図示なし）は、ＩＤＣ接点７８と接続するように配置されている。ＩＤＣ接点の末端８０もプリント基板の開口部に挿入されており、例えば、プリント導電体に圧着又ははんだ付けされている。可撓性ワイヤ（図示なし）は、ＩＤＣ接点７８と接続することができる。最後に、図示した実施形態では、キャリア８２がＩＤＣ接点７８を支えるために配置されている。これは、第１のハウジング部分６２及び第２のハウジング部分６４がかみ合った状態になる前には特に有益である。この状況ではプリント基板７６は第２のハウジング部分６４に接触しており、第２のハウジング部分６４のラッチフック６６が第１のハウジング部分６２の肩部６８とかみ合うときに、ＩＤＣ接点の末端部８０はこのプリント基板７６に挿入される。
【００４３】
本発明を実施形態を参照して説明してきた。前述の詳細な説明及び実施形態は理解を明確化するためにのみ提示した。詳細な説明及び実施形態から無用の限定はないと理解すべきである。例えば、側面、平面及び方向に対する全ての参照は単なる例であり、特許請求の範囲に記載の本発明を限定するものではない。本発明の範囲から逸脱することなく、記載された実施形態に多くの変更を加えられることは、当業者には明らかである。したがって本発明の範囲は、本明細書に記載された正確な詳細及び構造に限定されるべきではなく、特許請求の範囲の文言による記載、及びそれらの構造と等価な物によって限定される。
【図面の簡単な説明】
【００４４】
【図１】新規コネクタの接点の概略的な側面図。
【図２】第２のコネクタが新規コネクタに位置合わせされている状態の図１の接点を示している。
【図３】新規コネクタのコンデンサの概略図。
【図４】コンデンサの配置に関する図３の構造の代替的な例を示している。
【図５】新規コネクタの接点ホルダの側面図。
【図６】新規コネクタ中にある第１の実施形態のコンデンサの有効なコンデンサ領域を示している。
【図７】図６に示されているコンデンサの誘電体の位置を示している。
【図８】第２の実施形態のコンデンサの有効なコンデンサ領域を示している。
【図９】図８のコンデンサ中の誘電体の位置を示している。
【図１０】ソケットの形態の新規コネクタの断面図を示している。
【図１】
2009505353.tif 000003
【図２】
2009505353.tif 000004
【図３】
2009505353.tif 000005
【図４】
2009505353.tif 000006
【図５】
2009505353.tif 000007
【図６】
2009505353.tif 000008
【図７】
2009505353.tif 000009
【図８】
2009505353.tif 000010
【図９】
2009505353.tif 000011
【図１０】
2009505353.tif 000012
【国際調査報告】
2009505353.tif 000013
2009505353.tif 000014